(57)【要約】【課題】複数枚使用される複写伝票（ノーカーボン）などで、二枚目以降に複写用紙の非発色部分を設けるために発色防止剤が利用され、また、発色を活用しての表示方法があった。【解決手段】従来の複写伝票などに使用される発色防止剤を活用して発色防止剤にて文字、数字、記号、絵柄を表記させる表示シートを提供する。【選択図】      図１
2006159879.tif 000002
【特許請求の範囲】
【請求項１】
シート本体と、該シート本体の表面任意範囲に設けられたコインや爪などの押圧で発色するセルフ発色インキ層と、該セルフ発色インキ層の上面に設けられた地紋印刷層と、該地紋印刷層の上面に設けられた任意の文字や図等を表記する発色防止剤層とよりなり、コインや爪などの押圧で発色防止剤層以外のセルフ発色インキ層が発色することで任意の文字や図等が現れるものであることを特徴とする表示シート。
【請求項２】
シート本体と、該シート本体の一面側に設けられた発色インキ層と、該シート本体の他の一面側に設けられた定着剤層と、前記発色インキ層の上面に設けられた任意の文字や図等を表記する発色防止剤層とよりなり、発色防止剤層と定着剤層は任意の折り方により接面する位置に設けられたものであり、コインや爪などの押圧で発色防止剤層以外の発色インキ層が発色することで任意の文字や図等が現れるものであることを特徴とする表示シート。
【発明の詳細な説明】
【技術の分野】
【０００１】本発明は、従来の複写伝票などに使用される発色防止剤を活用して発色防止剤にて文字、数字、記号、絵柄を表記させる方法に関するものである。
【背景技術】
【０００２】従来、複数枚使用される複写伝票（ノーカーボン）などで、二枚目以降に複写用紙の非発色部分を設けるために発色防止剤が利用されていた。
また、発色を活用しての発色による表示（特許公開番号特開平７−３２７２９、特開２００３−１４５９６６）が発明されていた。
【特許文献１】特許公開番号特開平７−３２７２９
【特許文献２】特許公開番号特開２００３−１４５９６６
【発明の開示】
【発明が解決しようとする課題】
【０００３】  これには次のような欠点があった。
従来、発色剤を活用しての発色による表示方法が発明されていた。
また、くじ引きに使用されるスクラッチにおいては、スクラッチくじを作成する場合に印刷コストがかかり、表示部を削りだすことによりごみがでる欠点があった。【０００４】（イ）くじ引きに使用されるスクラッチにおいての作成は、本体台紙の通常印刷や当選部の工程と、当選部の表示を隠蔽するためにスクリーン印刷工程を必要として、生産コストと印刷工程において欠点がみられた。
（ロ）発色を活用しての表示方法が発明されていたが、発色部を隠蔽する目的で発色部に重圧な印刷をしなければならない欠点がみられた。
（ハ）発色防止剤を活用して文字、数字、絵柄等を表記させる方法がなかった。
（ニ）発色防止剤を活用して文字、数字、記号、絵柄を表記させる方法から、非表示及び表示を簡易におこなえるセキュリュティーに関連する印刷手段がなかた。
本発明は、これらの問題点を解決するためになされたものである。
【課題を解決するための手段】
【０００５】  本発明は、図１に示すシート本体（１０）と、該シート本体、シート用紙（１０１）の表面任意範囲に設けられたコイン（１０５）や爪などの押圧で発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、その用法は図３に示すようコイン（１０５）や爪などの押圧で発色防止剤層（１０４）以外のセルフ発色インキ層（１０２）が発色することで任意の文字や図等が現れるものであることを特徴とする表示シートを提供する。【０００６】また他の応用の実施として、図４に示すようシート本体（１０）と、該シート本体の一面側に設けられた発色インキ層（１０２ａ）と、該シート本体の他の一面側に設けられた定着剤層（１０６）と、前記発色インキ層の上面に設けられた任意の文字や図等を表記する発色防止剤層（１０４）とよりなり、発色防止剤層（１０４）と定着剤層（１０６）は任意の折り方により接面する位置に設けられたものであり、コイン（１０５）や爪などの押圧で発色防止剤層以外の発色インキ層が発色することで任意の文字や図等が現れるものであることを特徴とする表示シート。
【発明の効果】
【０００７】本発明は、図１に示すシート本体（１０）と、該シート本体、シート用紙（１０１）の表面任意範囲に設けられ、図３に示すコイン（１０５）や爪などの押圧で発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、その用法は前記図３に示すようコイン（１０５）の押圧で発色防止剤層（１０４）以外のセルフ発色インキ層が発色することで任意の文字や図等が現れるものであることを特徴とする表示シートを提供するものである。
よってその効果は、従来のスクラッチくじは、開示部の隠蔽工程等の生産技術や、生産コストが高いという問題があったが、本発明の発色防止剤を活用しての表示シートをくじ引きとして実施したなら、容易な生産技術と低コストでの提供が実現するものである。【０００８】また、従来のスクラッチくじは開示部の隠蔽印刷部をコイン等で削り取ることで開示されるが、その際の隠蔽印刷部の剥離ゴミがでるが、本発明の表示シートにおいては発色防止剤と発色の活用により、隠蔽部が表示されることから剥離ゴミがでないくじを提供することを実現するものである。【０００９】従来、個人情報や特別情報を通達する手段として圧着郵便ハガキが利用されていたが、本発明の発色防止剤を活用しての表示シートの実施において容易な生産技術と低コストでの提供が実現するものである。【００１０】本発明の表示シートは、隠蔽部を発色防止剤と発色の活用により隠蔽部分から容易に表示できる技術方法の提供が実現するものである。【００１１】本発明の他の応用実施として、図４に示すようシート本体（１０）と、該シート本体の一面側に設けられた発色インキ層（１０２ａ）と、該シート本体の他の一面側に設けられた定着剤層（１０６）、用紙裏と前記発色インキ層の上面に設けられた任意の文字や図等を表記する発色防止剤層（１０４）とよりなり、発色防止剤層と定着剤層は任意の折り方により接面する位置に設けられたものであり、コインや爪などの押圧で発色防止剤層以外の発色インキ層が発色することで任意の文字や図等が現れるものであることを特徴とする表示シートは、印刷スペースを設けられる効果がえられ、広告をともなったくじや隠蔽情報の提供が実現するものである。
本発明は、以上の効果を実現するものである。
【発明を実施するための最良の形態】
【００１２】  以下、本発明の実施の形態について図１乃至図６をもちいて説明する。
図１に記載されているのは、本発明表示シートの実施の形態を示した図で、シート本体（１０）と、該シート本体、シート用紙（１０１）の表面任意範囲に設けられたコインや爪などの押圧で発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、その用法は図３に示すようコインや爪などの押圧で発色防止剤層（１０４）以外のセルフ発色インキ層が発色することで任意の文字や図等が現れるものである。【００１３】図２に記載されているのは、前記図１に記載した本発明表示シートの実施の形態断面図で、シート本体（１０）からのシート用紙（１０１）の表面任意範囲に設けられたコインや爪などの押圧で発色するセルフ発色インキ層（１０２）と該セルフ発色インキ層（１０２）の上面に設けられた地紋印刷層（１０３）と該地紋印刷層（１０３）の上面に設けられた任意の文字や図等を表記する発色防止剤層（１０４）の形態を示す断面図である。【００１４】図３に記載されているのは、前記図１に記載した本発明表示シートの用法で隠蔽部の表示の形態で、図ａはシート本体（１０）と、該シート本体、シート用紙（１０１）の表面任意範囲に設けられた発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、地紋印刷層（１０３）により任意の文字や図等を表記する発色防止剤層（１０４）は目視できない状態である。【００１５】図ｂに示されるよう、コイン（１０５）の押圧する状態で表面任意範囲に設けられたセルフ発色インキ層（１０２）の発色により発色防止剤層（１０４）により任意の文字や図等が表記さる経過図である。【００１６】図ｃに記載に示されているのは、図ａ、ｂの経過から示されるようコイン（１０５）の押圧する状態で表面任意範囲に設けられたセルフ発色インキ層（１０２）の発色により発色防止剤層（１０４）により任意の文字や図等が表記された状態の図である。すなわち、図３に記載されている図ａ、ｂ、ｃは本発明表示シートの用法を示したものである。【００１７】図４に記載されているのは、本発明表示シートの実施の応用でシート本体（１０）と、該シート本体の一面側に設けられた発色インキ層（１０２ａ）と、該シート本体の他の一面側に設けられた定着剤層（１０６）と、前記発色インキ層の上面に設けられた任意の文字や図等を表記する発色防止剤層（１０４）とよりなり、発色防止剤層と定着剤層は任意の折り方により接面する位置に設けられたものであり、コインや爪などの押圧で発色防止剤層以外の発色インキ層が発色することで任意の文字や図等が現れるものである。【００１８】図４においては、本発明表示シートのシート本体（１０）をＡ、Ｂ、Ｃの三つ折で構成しＡとＢを折り、Ａの定着剤層（１０６）とＣの発色インキ層（１０２ａ）面の接面により、コインや爪などの押圧で発色防止剤層以外の発色インキ層が発色することで任意の文字や図等が現れるものである。【００１９】本発明表示シートの実施の応用は、シート本体（１０）の表面に発色インキ層（１０２ａ）を設け、シート本体（１０）の裏面に定着剤層（１０６）を設け発色インキ層（１０２ａ）面と定着剤層（１０６）面の接面により、発色インキ層（１０２ａ）に設けた任意の文字や図等を表記する発色防止剤（１０４）にて表示されるもので、シート本体（１０）は印刷スペースを設けることにより広告などの印刷が可能となる。【００２０】図５に記載されているのは、前記図４に記載した本発明表示シートの実施の応用のシート本体（１０）をＡ、Ｂ、Ｃの三つ折り状態からなる、構成断面図を示したものである。
図６に記載されているのは、前記図４に記載された、本発明表示シートの実施の応用例の用法で、くじ引き等での景品や当選の集計により郵送を必要とした場合にハガキ本体（２０）に貼付して郵送することが可能であることを示し図５に記載していないが、図１に記載した本発明の表示シートを貼付することも可能である。以上、本発明の構成で、実施において下記に示す。【００２１】本発明の実施
本発明表示シートは、シート本体（１０）と、該シート本体、シート用紙（１０１）の表面任意範囲に設けられたコインや爪などの押圧で発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、その用法は図３に示すようコインや爪などの押圧で発色防止剤層（１０４）以外のセルフ発色インキ層が発色することで任意の文字や図等が現れるものである。
すなわち、任意の文字や図等を表記する発色防止剤（１０４）は該地紋印刷（１０３）により目視できない状態にあることから、くじ引きなのど実施が可能である。【００２２】また、任意の文字や図等を表記する発色防止剤（１０４）は該地紋印刷（１０３）により目視できない状態にあることから、特定の通達表示が可能であることから機密情報の漏洩を防止することにも活用が可能である。【００２３】発色防止剤（１０４）とセルフ発色インキ（１０２）の活用による表示の認識テストの結果、バーコード及び二次元バーコードの読み取りと受信が可能とされる結果が得られた。
このことから、特定及び指定された個人に本発明表示シートに二次元バーコード等を表記する発色防止剤（１０４）により機密の保護が可能となる。【００２４】以上のことから、本発明表示シートはくじ引きや販売促進に抽選など、また任意の文字や図等を表記する発色防止剤（１０４）は該地紋印刷（１０３）により目視できない状態にあることから、特定の通達表示が可能であることから機密情報の漏洩を防止する表示物として実現と実施が望めるものである。
また、他の発色防止剤と発色を利用しての表示方法は本明細に記載されていない事項においても実施されるものである。
以上、本発明は実施される。
【産業上の利用可能性】
【００２５】本発明表示シートは、シート本体（１０）と、該シート本体、シート用紙（１０１）の表面任意範囲に設けられたコインや爪などの押圧で発色するセルフ発色インキ層（１０２）と該セルフ発色インキ層（１０２）の上面に設けられた地紋印刷層（１０３）と、該地紋印刷層（１０３）の上面に設けられた任意の文字や図等を表記する発色防止剤層（１０４）とよりなり、その用法は図３に示すようコインや爪などの押圧で発色防止剤層（１０４）以外のセルフ発色インキ層が発色することで任意の文字や図等が現れるものである。
すなわち、任意の文字や図等を表記する発色防止剤（１０４）は該地紋印刷（１０３）により目視できない状態にあることから、くじ引きなのどに産業上利用されるものである。【００２６】また、任意の文字や図等を表記する発色防止剤（１０４）は該地紋印刷（１０３）により目視できない状態にあることから、特定の通達表示が可能であることから機密情報の漏洩を防止することにも活用が可能である。【００２７】本発明表示シートはくじ引きや販売促進に抽選など、また任意の文字や図等を表記する発色防止剤（１０４）は該地紋印刷（１０３）により目視できない状態にあることから、特定の通達表示が可能であることから機密情報の漏洩を防止する表示物として産業上利用されるものである。
本発明は、以上の構成より産業上利用されるものである。
【図面の簡単な説明】
【００２８】
【図１】本発明表示シートの実施における構成の図である。
【図２】本発明表示シートの構成層を示した断面図である。
【図３】本発明表示シートの実施における用法を示した図である。
【図４】応用例を示した図である。
【図５】本発明表示シートの実施の応用例の構成層を示した断面図である。
【図６】本発明表示シートの実施の応用例の用法を示した図である。
【符号の説明】
【００２９】１０．    本体シート
１０ａ．  本体シート
１０１．  用紙シート
１０２．  セルフインキ発色層
１０２ａ．発色インキ層
１０３．  地紋印刷
１０４．  発色防止剤層
１０５．  コイン
１０６．  発色定着層
１０７．  粘着剤
２０．    ハガキ本体
【図１】
2006159879.tif 000003
【図２】
2006159879.tif 000004
【図３】
2006159879.tif 000005
【図４】
2006159879.tif 000006
【図５】
2006159879.tif 000007
【図６】
2006159879.tif 000008